(57)【要約】  本発明は、第１の平面で広がる第１の壁要素と、前記第１の壁要素から離隔して、前記第１の平面と平行な第２の平面で広がる第２の壁要素とを含む合成壁の構造を提供する。前記第１の壁要素と前記第２の壁要素はこれらの間に空間を画成し、前記第２の壁要素は前記空間の一方側を画成する内側シートを有する。複数の細長い補強部材が、前記空間内で縦方向に長く延び前記第１の壁要素および前記第２の壁要素にそれぞれ取り付けられる。  各補強部材は、薄板状の素材で形成され、前記補強部材と前記空間に注ぎ込まれる硬化性物質の接着を容易にするキーイング配列を有する。前記第１の壁要素は間隔を空けて縦方向に延びて前記空間内で凹部を形成する波形を複数有する。【選択図】図２４
2012528961.tif 000002
【特許請求の範囲】
【請求項１】
第１の概略平面で広がる第１の壁要素と、
前記第１の壁要素から離隔して前記第１の平面と平行な第２の概略平面で広がる第２の壁要素とを含み、
前記第１の壁要素と前記第２の壁要素はこれらの間に空間を画成し、
前記第２の壁要素は前記空間の一方側を画成する内側シートを有し、
前記空間内で縦方向に長く延び前記第１の壁要素および前記第２の壁要素にそれぞれ取り付けられる複数の細長い補強部材をさらに含み、
各補強部材は、薄板状の素材で形成され、前記補強部材と前記空間に注ぎ込まれる硬化性物質の接着を容易にするキーイング配列を有し、
前記第１の壁要素は間隔を空けて縦方向に延びて前記空間内で凹部を形成する波形を複数有する、合成壁の構造。
【請求項２】
前記第２の壁要素は、前記空間の反対側で前記内側シートに重ねられる断熱素材の断熱層を有する、請求項１に記載の合成壁の構造。
【請求項３】
横方向に延びて前記空間の反対側で前記第１の壁要素に取り付けられる複数の細長いブレース材を含む、請求項１または２に記載の合成壁の構造。
【請求項４】
前記第１の壁要素から離隔するように前記ブレース材の上で取り付けられるファサードを含む、請求項３に記載の合成壁の構造。
【請求項５】
前記各補強部材は長手方向にみて略Ｚ形断面である、請求項１〜４のいずれかに記載の合成壁の構造。
【請求項６】
横方向に延びる複数の補強バーを含み、前記各補強部材は複数のバー開口を規定して、各補強バーは整列した複数の補強部材のバー開口を貫通する、請求項１〜５のいずれかに記載の合成壁の構造。
【請求項７】
各キーイング配列は個々の前記補強部材のキーイング開口で構成される、請求項１〜６のいずれかに記載の合成壁の構造。
【請求項８】
前記第２の壁要素は、内側シートの反対側で前記断熱層に配置される外側シートを含む、請求項１〜７のいずれかに記載の合成壁の構造。
【請求項９】
前記外側シートはエラストマー素材である、請求項８に記載の合成壁の構造。
【請求項１０】
前記空間の下側開口縁を少なくとも部分的に覆う下エンドカバーを含む、請求項１〜９のいずれかに記載の合成壁の構造。
【請求項１１】
前記エンドカバーは、前記合成壁の構造が設置される複数の立ち上がりバーが、貫通して通過することを可能にする複数の立ち上がり開口を規定する、請求項１０に記載の合成壁の構造。
【請求項１２】
前記空間を略満たす断熱性の多泡質素材を含む、請求項１〜１１のいずれかに記載の合成壁の構造。
【請求項１３】
第１の概略平面で広がる第１の壁要素と、
前記第１の壁要素から離隔して前記第１の平面と平行な第２の概略平面で広がる第２の壁要素とを含み、
前記第１の壁要素と前記第２の壁要素はこれらの間に空間を画成し、
これら壁要素の少なくとも一方は間隔を空けて縦方向に延びて前記空間内で凹部を形成する波形を複数有し、
前記空間を略満たす断熱性の多泡質素材をさらに含む、仕切壁の構造。
【請求項１４】
前記空間を略満たす断熱性の多泡質素材を含む、請求項１３に記載の仕切壁の構造。
【請求項１５】
請求項１に記載の合成壁の構造を１対含み、
前記合成壁の構造は、互いに鏡像関係となるように整列され、共通する単一の第２の壁要素を共有し、
前記第２の壁要素は、
第１の概略壁平面で広がる第１の壁要素と、前記第１の壁平面と平行な第２の壁平面で広がり断熱性の前記第１の壁要素から離隔する第２の壁要素とを含み、
前記第１の壁要素と前記第２の壁要素はこれらの間に空間を画成し、
前記壁要素はそれぞれ、間隔を空けて縦方向に延びて前記空間内で凹部を形成する波形を複数有する、複合壁の構造。
【請求項１６】
前記第２の壁要素は、前記空間の反対側で前記内側シートに重ねられる断熱素材の断熱層を有する、請求項１に記載の合成壁の構造。
【請求項１７】
第１の壁板構成部と、第２の壁板構成部と、波形構成部とを備え、
前記波形構成部からみて、前記第１の壁板構成部は一方側に配置され、前記第２の壁板構成部は他方側に配置され、
前記波形構成部は、間隔を空けて縦方向に延びて凹部を画成する波形を複数有し、
これにより波形構成部は第１の壁板構成部と第２の壁板構成部との間に注ぎ込まれる硬化性物質を受け入れる空間を形成する、合成壁の構造。
【請求項１８】
前記波形構成部は、波形の板状構成部と、前記波形の板状構成部を支持する複数の細長い補強部材とを有する、請求項１７に記載の合成壁の構造。
【請求項１９】
前記各補強部材は、補強バーを受け入れるための複数の開口を有する、請求項１８に記載の合成壁の構造。
【請求項２０】
前記補強部材は複数のキーイング開口を有する、請求項１８に記載の合成壁の構造。
【請求項２１】
前記波形の板材にそって延びる複数のブレース材をさらに有する、請求項１８に記載の合成壁の構造。
【請求項２２】
前記第１の壁板は断熱層を有する、請求項１７に記載の合成壁の構造。
【請求項２３】
前記断熱層は、断熱要素を包含するシートシェルを有する、請求項１８に記載の合成壁の構造。
【請求項２４】
前記断熱要素は、硬質のポリイソシアヌレート（ＰＩＲ）フォームを有する、請求項１９に記載の合成壁の構造。
【請求項２５】
前記シートシェルは金属で作られる、請求項１８または１９に記載の合成壁の構造。
【請求項２６】
前記断熱層は、一方側に配置されたエラストマーの板材を有する、請求項１７〜２１のいずれかに記載の合成壁の構造。
【請求項２７】
窓組立体を含む、請求項１〜１２のいずれかに記載の合成壁の構造。
【請求項２８】
窓組立体を含む、請求項１３または１４に記載の仕切壁の構造。
【請求項２９】
梁区域の堰板上の第１梁補強層に配置されて互いに略平行に延びる横方向に細長い複数の梁補強部材と、
前記梁区域に配置されて互いに略平行に延びる横方向に細長い梁補強部材を有し、前記第１梁補強層上に設けられる少なくとも１つの連続した追加の梁補強層とを備え、
各追加の梁補強層の前記梁補強部材はすぐ下の梁補強層の梁補強部材に支持され、各梁補強層の前記梁補強部材はすぐ上またはすぐ下の梁補強層に対して略直角方向に延び、
床板区域の第１床板補強層に配置されて互いに略平行に延び、最も上の前記梁補強層の前記梁補強部材と接触して、該梁補強部材に対して略直角方向に延びる横方向に細長い複数の床板補強部材と、
前記床板区域に配置されて互いに略平行に延びる横方向に細長い床板補強部材を有し、前記第１床板補強層上に設けられる少なくとも１つの連続した追加の床板補強層とをさらに備え、
各追加の床板補強層の前記床板補強部材はすぐ下の床板補強層の梁補強部材に支持され、各床板補強層の床板補強部材はすぐ上またはすぐ下の床板補強層に対して略直角方向に延びる、梁および床板の組み合わせ構造。
【請求項３０】
各補強部材は、該補強部材と該補強部材が配置される前記区域に注ぎ込まれる硬化性物質の接着を容易にするキーイング配列を含む、請求項２９に記載の梁および床板の組み合わせ構造。
【請求項３１】
各補強部材はウェブを含み、各キーイング配列は前記ウェブに形成された開口を含む、請求項２９に記載の梁および床板の組み合わせ構造。
【請求項３２】
各梁補強部材は、上側および下側で横方向に広がるフランジと中央で縦方向に連結するウェブとを有するＩ形梁に形成される、請求項２９〜３１のいずれかに記載の梁および床板の組み合わせ構造。
【請求項３３】
各床板補強部材は、前記最も上の床板補強層に配置された部材を除き、上側および下側で横方向に広がるフランジと中央で縦方向に連結するウェブとを有するＩ形梁に形成され、
前記最も上の床板補強層の各床板補強部材は、横方向に広がる下側フランジと縦方向の中央ウェブとを有する逆Ｔ形梁に形成される、請求項３２に記載の梁および床板の組み合わせ構造。
【請求項３４】
各Ｉ形梁の前記ウェブは複数のバー開口を規定し、前記構造は複数の細長い補強バーを含み、各補強バーは特定の補強層の補強部材の前記開口を通過する、請求項３３に記載の梁および床板の組み合わせ構造。
【請求項３５】
前記最も上の床板補強層の各床板補強部材のウェブは、上縁に横方向に間隔を空けた１列の切り欠きを有し、
前記構造は、前記床板補強部材に対して略直角方向に延び、これら複数の床板補強部材の整列した切り欠きに収容される複数の上部補強バーを含む、請求項２１〜３４のいずれかに記載の梁および床板の組み合わせ構造。
【請求項３６】
前記上部補強バーのすぐ上に配置されるメッシュを含む、請求項３５に記載の梁および床板の組み合わせ構造。
【請求項３７】
前記梁区域および床板区域を略満たす断熱多泡質素材を含む、請求項２９〜３６のいずれかに記載の梁および床板の組み合わせ構造。
【請求項３８】
請求項１に記載の合成壁の構造を１対含み、
前記合成壁の構造は、互いに鏡像関係となるように整列され、共通する単一の第２の壁要素を共有し、
前記第２の壁要素は、
第１の概略断熱壁平面で広がる第１の断熱壁要素と、前記第１の断熱壁要素から離隔して前記第１の断熱壁平面と平行な第２の断熱壁平面で広がる第２の断熱壁要素とを含み、
前記第１の断熱壁要素と前記第２の断熱壁要素はこれらの間に断熱空間を画成し、
前記断熱壁要素はそれぞれ、間隔を空けて縦方向に延びて前記断熱空間内で凹部を形成する波形を複数有する、複合壁の構造。
【発明の詳細な説明】
【技術分野】
【０００１】
本発明は、構造の様相に関する。特に、本発明は、合成壁の構造、仕切壁の構造、および梁および床板の組み合わせ構造に関する。
【背景技術】
【０００２】
建設業において、壁、梁  床板、補強材など、構造の設計部分には、特定の利用というニーズに応じて、様々な解決すべき原始的な課題がある。設計において特定の特徴が優先されることは、他の特徴の損失になる場合がある。
【０００３】
特徴は、可能な支持力、潜在的な機能不全、熱および音の遮断、費用、建設の容易性および便利さを含むよう考慮される。
【０００４】
構造の多くの存在部分はこれらの特徴の幾つかに基づいて設計されるが、これは、他の特徴を犠牲にすることが多く、他の特徴を伴わないことさえある。
【０００５】
本発明の目的は従来技術の欠点を克服または改善し、好ましい代替物を提供することである。
【発明の概要】
【０００６】
発明の第１の様相によれば、第１の概略平面で広がる第１の壁要素と、第１の壁要素から離隔して第１の平面と平行な第２の概略平面で広がる第２の断熱壁要素とを含み、第１の壁要素と第２の壁要素はこれらの間に空間を画成し、第２の壁要素は空間の一方側を画成する内側シートおよび空間の反対側で内側シートに重なって熱を遮断する素材からなる断熱層を有し、空間内で縦方向に長く延び第１の壁要素および第２の壁要素にそれぞれ取り付けられる複数の細長い補強部材をさらに含み、各補強部材は、薄板状の素材で形成され、補強部材と空間に注ぎ込まれる硬化性物質の接着を容易にするキーイング配列を有する、合成壁の構造が提供される。
【０００７】
好ましい実施形態として、第１の壁要素は間隔を空けて縦方向に延びて空間内で凹部を形成する波形を複数有する。
【０００８】
好ましい実施形態として、合成壁の構造は、横方向に延びて空間の反対側で第１の壁要素に取り付けられる複数の細長いブレース材をさらに含む。
【０００９】
次に、好ましくは、合成壁の構造は、第１の壁要素から離隔するようにブレース材に装着されて広がるファサードを含む。
【００１０】
好ましい実施形態として、各補強部材は、長手方向にみて断面略Ｚ形である。
【００１１】
好ましい実施形態として、合成壁の構造は、横方向に延びる複数の補強バーを含み、各補強部材は複数のバー開口を規定して、各補強バーは整列した複数の補強部材のバー開口を貫通する。
【００１２】
好ましい実施形態として、個々の補強部材のキーイング（keying）開口によってキーイング（keying）配列が構成される。
【００１３】
好ましい実施形態として、第２の壁要素は、内側シートの反対側で断熱層に配置される外側シートを含む。
【００１４】
次に、好ましくは、外側シートはエラストマー素材からなる。
【００１５】
好ましい実施形態として、空間の下側開口縁を少なくとも部分的に覆う下エンドカバーを含む。
【００１６】
次に、好ましくは、エンドカバーは、合成壁の構造が設置される複数の立ち上がりバーが、貫通して通過することを可能にする複数の立ち上がり開口を規定する。
【００１７】
好ましい実施形態として、合成壁の構造は、空間を略満たす断熱性の多泡質素材を含む。
【００１８】
本発明の第２の様相によれば、第１の概略平面で広がる第１の壁要素と、第１の壁要素から離隔して第１の平面と平行な第２の概略平面で広がる第２の壁要素とを含み、第１の壁要素と第２の壁要素はこれらの間に空間を画成し、これら壁要素の少なくとも一方は間隔を空けて縦方向に延びて空間内で凹部を形成する波形を複数有し、空間を略満たす断熱性の多泡質素材を含む、仕切壁の構造が提供される。
【００１９】
好ましい実施形態として、各壁要素は、間隔を空けて縦方向に延びて空間内で凹部を形成する波形を複数有する。
【００２０】
好ましい実施形態として、仕切壁の構造は、空間を略満たす断熱性の多泡質素材を含む。
【００２１】
本発明の第３の様相によれば、床板に注ぎ込まれるコンクリートを収容する床板区域および梁に注ぎ込まれるコンクリートを収容する細長い梁区域を規定する一体の堰板を含み、梁区域は床板区域の下に一体化して延び、床板区域は梁区域を長手方向にみて左側および右側の少なくとも一方を超えて広がる、梁および床板の組み合わせ構造が提供される。
【００２２】
好ましい実施形態として、梁および床板の組み合わせ構造は、梁区域の堰板上の第１梁補強層に配置されて互いに略平行に延びる横方向に細長い複数の梁補強部材と、梁区域に配置されて互いに略平行に延びる横方向に細長い梁補強部材を有して第１梁補強層上に設けられる少なくとも１つの連続した追加の梁補強層とを備え、各追加の梁補強層の梁補強部材はすぐ下の梁補強層の梁補強部材に支持され、各梁補強層の梁補強部材はすぐ上またはすぐ下の梁補強層に対して略直角方向に延び、床板区域の第１床板補強層に配置されて互いに略平行に延び、最も上の梁補強層の梁補強部材と接触して、該梁補強部材に対して略直角方向に延びる横方向に細長い複数の床板補強部材と、床板区域に配置されて互いに略平行に延びる横方向に細長い床板補強部材を有し、第１床板補強層上に設けられる少なくとも１つの連続した追加の床板補強層とをさらに備え、各追加の床板補強層の床板補強部材はすぐ下の床板補強層の梁補強部材に支持され、各床板補強層の床板補強部材はすぐ上またはすぐ下の床板補強層に対して略直角方向に延びる。
【００２３】
好ましい実施形態として、各補強部材は、該補強部材と該補強部材が配置される区域に注ぎ込まれる硬化性物質の接着を容易にするキーイング配列を含む。
【００２４】
好ましい実施形態として、各補強部材はウェブを含み、各キーイング配列はウェブに形成された開口を含む。
【００２５】
好ましくは、各梁補強部材は、上側および下側で横方向に広がるフランジと中央で縦方向に連結するウェブとを有するＩ形梁に形成される。
【００２６】
次に、好ましくは、各床板補強部材は、最も上の床板補強層に配置された部材を除き、上側および下側で横方向に広がるフランジと中央で縦方向に連結するウェブとを有するＩ形梁に形成され、最も上の床板補強層の各床板補強部材は、横方向に広がる下側フランジと縦方向の中央ウェブとを有する逆Ｔ形梁に形成される。
【００２７】
他に好ましくは、各Ｉ形梁のウェブは複数のバー開口を規定し、構造は複数の細長い補強バーを含み、各補強バーは特定の補強層の補強部材の開口を通過する。
【００２８】
好ましくは、最も上の床板補強層の各床板補強部材のウェブは、上縁に横方向に間隔を空けた１列の切り欠きを有し、構造は、床板補強部材に対して略直角方向に延び、これら複数の床板補強部材の整列した切り欠きに収容される複数の上部補強バーを含む。
【００２９】
好ましい実施形態として、梁および床板の組み合わせ構造は、上部補強バーのすぐ上に配置されるメッシュを含む。
【００３０】
好ましい実施形態として、梁および床板の組み合わせ構造は、梁区域および床板区域を略満たす断熱多泡質素材を含む。
【００３１】
本発明の第４の様相は、本発明の第１の様相の合成壁の構造を１対含み、合成壁の構造は、互いに鏡像関係となるように整列され、共通する単一の第２の壁要素を共有し、第２の壁要素は、第１の概略断熱壁平面で広がる第１の断熱壁要素と、第１の断熱壁要素から離隔して第１の断熱壁平面と平行な第２の断熱壁平面で広がる第２の断熱壁要素とを含み、第１の断熱壁要素と第２の断熱壁要素はこれらの間に断熱空間を画成し、断熱壁要素はそれぞれ、間隔を空けて縦方向に延びて断熱空間内で凹部を形成する波形を複数有する、複合壁の構造である。
【００３２】
この明細書で、横方向または縦方向に指向する特徴についての言及は、当業者に理解されるように、略横方向または縦方向に指向することを意図する（それゆえ横方向および縦方向から数度離れた範囲を包含する）。
【図面の簡単な説明】
【００３３】
【図１】本発明の一実施形態になる合成壁の構造の概略的な正面図である。
【図２】図１の合成壁の構造の概略的な背面図である。
【図３】図１の合成壁の構造の概略的な平面図である。
【図４】図３の丸囲いの詳細を示す拡大図である。
【図５】図１の合成壁の構造の概略的な側面図である。
【図６】図５の丸囲いの詳細を示す拡大図である。
【図７】図１の壁構造の波型の壁板の概略的な斜視図である。
【図８】図１の壁構造の補強材の概略的な斜視図である。
【図９】図１の壁構造のブレース材の概略的な斜視図である。
【図１０】図１の壁構造のエンドカバーの概略的な斜視図である。
【図１１】本発明の一実施形態になる仕切壁の構造の概略的な正面図である。
【図１２】図１１の仕切壁の構造の概略的な平面図である。
【図１３】図１２の丸囲いの詳細を示す拡大図である。
【図１４】本発明の他の実施形態になる合成壁の構造の概略的な斜視図である。
【図１５】図１４のXV−XVに沿った概略的な平面図である。
【図１６】図１４の合成壁の構造の一部分の概略的な側面図である。
【図１７】本発明の一実施形態になる梁および床板の組み合わせ構造の一部分の概略的な斜視図である。
【図１８】図１７の枠囲いの詳細を示す拡大図である。
【図１９】図１７の梁および床板の組み合わせ構造のI形梁の概略的な斜視図である。
【図２０】図１７の梁および床板の組み合わせ構造の逆T形梁の概略的な斜視図である。
【図２１】図１の合成壁の構造の概略的な分解図である。
【図２２】図２３の合成壁の構造の一部分の概略的な斜視図である。
【図２３】合成壁の構造の概略的な斜視図である。
【図２４】図２３の合成壁の構造の一部分の概略的な分解図である。
【図２５】図１１の仕切壁の構造の概略的な分解図である。
【図２６】図２５の仕切壁の構造の一部分の概略的な分解図である。
【図２７】図２５の仕切壁の構造の概略的な斜視図である。
【図２８】図２５の仕切壁の構造の一部分の概略的な斜視図である。
【図２９】図１７の梁および床板の組み合わせ構造の一部分の概略的な分解図である。
【図３０】本発明の一実施形態になる窓組立体の構造の概略的な分解図である。
【図３１】図３０の窓組立体の概略的な斜視図である。
【図３２】図３０の窓組立体の枠体の一部分の概略的な分解図である。
【図３３】図３０の窓組立体の枠体の一部分の概略的な斜視図である。
【図３４】図１の合成壁の構造の概略的な分解図である。
【図３５】図２３の合成壁の構造の一部分の概略的な分解図である。
【図３６】図２３の合成壁の構造の概略的な分解図である。
【図３７】図１１の仕切壁の構造の概略的な分解図である。
【図３８】図２３の合成壁の一部分の構造の概略的な斜視図である。
【図３９】図１１の仕切壁の構造の概略的な分解図である。
【図４０】図２５の仕切壁の構造の概略的な分解図である。
【図４１】図２５の仕切壁の構造の概略的な斜視図である。
【図４２】図２５の仕切壁の構造の概略的な分解図である。
【図４３】図１７の梁および床板の組み合わせ構造の一部分の概略的な正面図である。
【図４４】図１７の梁および床板の組み合わせ構造の概略的な分解図である。
【図４５】図１７の梁および床板の組み合わせ構造の一部分の概略的な斜視図である。
【図４６】本発明の一実施形態になる窓組立体の構造の概略的な分解図である。
【図４７】図３０の窓組立体の概略的な斜視図である。
【図４８】図３０の窓組立体の枠体の一部分の概略的な分解図である。
【図４９】図３０の窓組立体の枠体の概略的な斜視図である。
【発明を実施するための好ましい実施形態】
【００３４】
外部の壁構造
本発明の一実施形態になる合成壁の構造１０の詳細を、図１〜図６、図２１〜２４、および図３４〜３７に示す。
【００３５】
壁構造１０は、一般的な壁面で広がる波形の壁板１２を形成する第１壁要素を含み、第１壁要素は壁構造の平面全体に対して平行にされる。波形の壁板１２は鉄製またはアルミニウム製である。
【００３６】
断熱壁板１４を形成する第２壁要素が設けられ、第２壁要素はそれ自身の概略平面で広がり、壁構造１０の平面全体に対して平行にされる。断熱壁板１４は、波形壁板１２から離隔され、これら２枚の壁板は空間１６を画成する。
【００３７】
壁板１２は間隔を空けて縦方向に延びる複数の波形部１８を有し、波形部は、空間１６が延びる凹部２０を形成する。
【００３８】
断熱壁板１４は鉄製またはアルミニウム製の内側シート２２を有し、内側シートは波形の壁板１２の反対側で空間１６の側面を形成する。熱を遮断する素材２４の層が内側シートに重ねられ、エラストマー素材２６の層が熱を遮断する素材の反対側に重ねられる。
【００３９】
一実施形態として、図２１に示すように、断熱壁板１４はシートシェルにされた硬質のポリイソシアヌレート（ＰＩＲ）フォームである。シートシェルは、内側シートおよび外側シートを備える。内側シートおよび外側シートは、鉄製またはアルミニウム製である。
プラスチック板のようなエラストマー物質は、断熱壁板の一方側に配置される。一実施形態として、壁板の外側にはレンディングパネル（rending panel） が設置される。
【００４０】
空間１６の中には、縦に延びる細長い補強部材２８が複数配置される。補強部材２８は鉄製またはアルミニウム製の薄板から形成され、図４にもっとも良く表されるように、縦方向にみたときに略Ｚ形の断面形状に折り曲げられている。
【００４１】
Ｚ形の断面形状によって、各補強部材２８は２つの端部ウェブ３０，３２と、これら端部ウェブ同士を連結する連結ウェブ３４を有する。一方の端部ウェブ３０は波形の壁板１２と接続し、他方の端部ウェブ３２は断熱壁板１４と接続する。
【００４２】
１つの好ましい実施形態として、補強部材２８は適切な接着剤によって壁材１２，１４に接続される。あるいは溶接やリベットといった他の接続手段によってもよい。
【００４３】
各補強部材２８には、連結ウェブ３４に沿って、間隔をおいて１列のキーイング開口３６と、キーイング開口と交互になるよう間隔をおいて１列のバー開口３８が設けられる。１の補強部材２８に設けられたキーイング開口３６と、他の補強部材２８に設けられたキーイング開口３６は略整列する。同様に、１の補強部材２８に設けられたバー開口３８と、他の補強部材２８に設けられたバー開口３８は略整列する。
【００４４】
各バー開口３８を貫通するよう横方向に延びて支持される複数の補強バー４０が設けられる。
【００４５】
波形の壁板１２には複数のブレース材４２が取り付けられる。これらのブレース材４２は、図１に示すように、波形の壁板１２に沿って横方向に延びる。各ブレース材４２は、中央隆起部４２．１と、中央隆起部４２．１から直角方向に延びる２つのフランジ４２．２を有する。
【００４６】
他の実施形態では、図２１に示すように、ブレース材４２が補強部材２８に沿って横方向に延びる。ブレース材４２には壁板５０が直接取り付けられている。この壁材は一般的に、内側シート５２と、遮音層および／または耐火板５４の層を備える。他の好ましい実施形態では、壁構造１０の両縁に断面C形状のバー５４が設けられる。
【００４７】
以下に詳細に述べるように、壁の正面ファサードをより良く見せるために、ブレース材４２は付属物の取り付け領域を構成する。
【００４８】
壁構造１０の下縁には、下縁および壁構造１０の空間１６を部分的に覆う下エンドカバー４４が設けられる。下エンドカバー４４は、コンクリート基礎（図示せず）から突出する立ち上がりバー（図示せず）を受け入れるために複数の孔４６を有し、詳しくは後述するが壁構造１０は直立して設置される。
【００４９】
壁構造１０はビル（図示せず）の外壁を形成するのに利用可能である。そして、複数の壁構造１０を用いて外壁を形成することが可能である。
【００５０】
壁を直立させるため、立ち上がりバーが上方へ突出する硬化コンクリート基礎（図示せず）が最も好ましい。予め製造された壁構造１０をそれぞれ基礎の上に置くと、これにより立ち上がりバーが下縁の孔を貫通して空間の内部を延び、壁構造の上縁を超えて延びる。
【００５１】
立ち上がりバーの間隔および位置は、壁構造１０の空間１６の中の構成部、特に補強部材２８および補強部材４０、と干渉せず、これら部品の障害とならない。
【００５２】
この方法によって壁構造１０が直立すると、壁構造は適切な支持手段（図示せず）によって倒れないように一時的に支持される。支持手段は例えば、近傍の地面に建てられて上方へ傾斜して延びて壁構造と係合するバーを含む。
【００５３】
次に、壁構造１０の上端開口からコンクリート（図示せず）が空間１６に注ぎ込まれる。
【００５４】
注ぎ込まれたコンクリートは、下方へ流れて空間１６を充填するだけでなく、補強部材２８のキーイング開口３６を貫通して流れ、補強バー４０によって塞がれていないバー開口３８の空間を貫通して流れる。またコンクリートは、波型壁板１２の波形部１８によって形成される凹部２０を充填する。
【００５５】
ブレース材４２は、注ぎ込まれたコンクリートの圧力で波型壁板１２が膨らまないよう波型壁板１２を補強する。
【００５６】
壁構造１０を確りと固定するために、C形断面のバー（図示せず）などの立ち上がりバーの上端は、上方に架設されたコンクリート床板（図示せず）に適切に結束される。これによりビルの壁全体が固定される。
【００５７】
コンクリートが打込まれて適切に養生されると、支持手段を除去することができる。
【００５８】
コンクリートが補強部材２８のキーイング開口３４（および可能な限りのバー開口）を貫通して流れることによって、コンクリートは補強部材２８に固定される。これによりもし例えば衝撃または地震によって周辺部分のコンクリートが破壊しても、残り部分のコンクリートが補強部材２８に確りと結合することができる。
【００５９】
薄肉のために補強部材２８自身は破壊に対して抵抗力がない。しかし、補強部材および周囲のコンクリートの組み合わせはこれを補うことができ、そればかりでなく、破壊および粉砕に対して著しい抵抗力をもたらす。従来の断面円形の補強バーの場合と異なり、本発明の補強バー２８は板材で形成され、相対的に著しく大きな面積でコンクリートと接触する。これにより、従来の断面円形の補強バーよりも著しく大きな面積において、補強バーとコンクリートの間で相互作用が生じる。相互作用および相互接続は、上述したようにコンクリートが補強バー２８に噛み合うことによって、さらに強くなる。
【００６０】
またコンクリートは横に延びる補強バー４０の周囲でも硬化して、壁構造１０により大きな強度を与え、コンクリートを介して補強バー２８同士を効果的に相互接続する。
【００６１】
異なる種類の素材を含む組み合わせとこれらの相対的な位置によって、壁構造１０は適切な実施形態において優れた遮音性も有する。
【００６２】
上述したように、ブレース材４２は、他の壁板５０やビルの正面ファサード（図示せず）を取り付けるための付属品を構成する。特に、フック、ブラケットなどの適切な取付手段によって、所望の外見を有するファサードを、ブレース材４２の隆起部４２．１に取り付けることができる。各ブレース材４２は２つのフランジ部４２．２で波形の壁板１２に取り付けられ、隆起部４２．１がフランジから突出する。これにより、ファサードは波形壁板１２から離隔する。ファサードと波形壁板１２の間の空間は、壁に沿って延びる電力ケーブル、細いダクトなどの設備を収容する。この空間によって、このような設備を隠すことができる。
【００６３】
内部の仕切壁の構造
仕切壁の構造２００を、図１１〜図１３、図２５〜２８、および図３８〜４２に示す。
仕切壁の構造２００は第１壁板２０２と第２壁板２０４を含み、これら壁板は仕切壁の構造全体に亘り略平坦で互いに平行に広がる。壁板２０２，２０４は互いに離隔し、これらの間に空間２０６を画成する。
【００６４】
各壁板２０２，２０４は、間隔を空けて鉛直に延びる波形部２０８を複数有する波形部２０８は空間２０６において凹部２１０を形成する。
【００６５】
空間２０６は断熱材（図示せず）で満たされる。好ましい実施形態として断熱材は、硬化する前に空間２０６に吹き付けられた多泡質素材である。好ましい実施形態として多泡材は  ポリイソシアヌレート（ＰＩＲ）フォームである。
【００６６】
多泡質素材を空間２０６に吹き付けると、多泡質素材は空間を満たす。しかしながらこの材料は容易に流れることがない。したがって凹部２１０を含む空間を完全に満たすことが容易であり、好ましい実施形態では必要に応じて、多段あるいは互い違いに配置されて空間２０６に多泡材を吹き出すノズル（図示せず）を備え、ノズルは壁板２０２，２０４の間の空間２０６の中央に整列し、またノズルは凹部２１０に沿って整列する。
【００６７】
他の例になる平坦な壁板と比較して、波形部２０８は仕切壁の構造２００の座屈に対する抵抗力を増大させる。これにより、仕切壁の構造２００は、特定の実施形態において、支持力の程度を好適にされる。例えば単に、多層階のビルに適合するのではなく、２階建てのビルのための支持構造に適合する。
【００６８】
一実施形態において、仕切壁の構造２００の両側には、仕上げ壁板２２０および内側シート２２２がさらに付設される。
【００６９】
波形壁板２０２，２０４および断熱材の組み合わせによって、仕切壁の構造２００は所定の水準の支持力および断熱性能を得られるのみでなく、遮音性能も得られる。これにより仕切壁の構造２００は、例えば家屋、事務所などの隣接する２つの部屋間で、効果的な屋内の仕切壁を構成する。
内部／外部の壁構造
図１に示した実施形態と異なる合成壁の構造２５０を図１４および図１５に示す。これらの図に示す構成部で、上述した構成部と共通するものには、共通する参照番号を付している。
【００７０】
なお図には、すべて表示される補強バー４０を除き、全部の壁構造の構成部のうちの一部が表わされている（それゆえ補強バーは他の構成部を超えて延びている）。
【００７１】
合成壁の構造２５０は本質的に１対の壁構造を含み、壁構造１０と略同一であり、互いに重なって、略鏡像のようなイメージである。しかし、断熱壁材１４を有する各壁構造に代えて、壁の構造２５０は共通する中央仕切壁構造２００を有する。
【００７２】
これにより、壁の構造２５０は  壁の構造１０を用いる範囲であらゆる目的に用いられる。さらに、２つの隣接するアパートなど、２つの独立した空間を区画する壁に適している。
【００７３】
分離した住居などは音が伝達しないことが重要であり、実際に、壁の構造２５０は、壁構造１０より多くの層を備え、より高い遮音性を有する。さらに中央仕切壁の構造２００は壁構造１０の断熱壁板１４と同等の断熱性能を有することができる。
【００７４】
さらに、壁の構造２５０における荷重を支持する構成部を壁構造１０よりも効果的に設けることにより、壁の構造２５０全体の支持力を壁構造１０よりも大きくすることができる。
【００７５】
梁および床板の組み合わせ
図１７〜図１９、図２９、図４３〜図４５は梁および床板の組み合わせ構造３００を示す。構造３００は、梁区域３０４および床板区域３０６を区画する一体の堰板３０２を含む。梁区域３０４の底部および側部は、堰板の基部３０２．１および堰板の側部３０２．２によってそれぞれ区画される。床板区域３０６の底部は梁区域３０４によって部分的に区画され、堰板３０２の床部３０２．３によって部分的に区画される。
【００７６】
なお梁区域３０４は床板区域３０６および堰板３０２の床部３０２．３と一体にされて下で延び、これにより床板区域３０６は梁の長手方向にみて梁区域の左側３０８および右側３１０をそれぞれ超えて広がる。
【００７７】
後で詳細を説明するが、梁区域３０４は注ぎ込まれて梁を形成するコンクリートを収容するためのものであり、床板区域３０６は注ぎ込まれて梁と一体化する床板を形成するコンクリートを収容するためのものである。
【００７８】
構造３００は総称して３１２で示され、Ｉ形の棒材で形成され、横方向に延びる複層の補強部材を含む。Ｉ形梁３１２の詳細を図１９に示す。梁区域（後で詳細を説明する）には３層の補強部材３１２があり梁補強部材と称し、床板区域にある１層の補強部材３１２は床板補強部材と称する。
【００７９】
特に、第１層の梁補強部材３１２は、３１２．１で区別表示され、堰板の基部３０２．１上に配置されて互いに平行に延びる。
【００８０】
第１層の梁補強部材３１２．１よりも上には、３１２．２で区別表示され、互いに平行に延びる中間層の梁補強部材が追加される。梁補強部材３１２．２は第１層の梁補強部材３１２．１の上に支持されこれらと直交して延びる。
【００８１】
中間層の梁補強部材３１２．２よりも上にはさらに、３１２．３で区別表示され、互いに平行に延びる上層の梁補強部材がある。梁補強部材３１２．３は中間層の梁補強部材３１２．２の上に支持され梁補強部材３１２．２と直交して延びる（したがって第１層の梁補強部材３１２．１と平行である）。
【００８２】
各Ｉ形梁３１２は上側および下側でそれぞれ横方向に広がるフランジ３１４および３１６と、中央で縦方向に広がる連結ウェブ３１８を有する。
【００８３】
各ウェブは、各キーイング開口３２０が形成されて、１列のキーイング配列を有する。キーイング開口３２０に対して、１列のバー開口３２２が交互に配列される。キーイング開口３２０およびバー開口３２２については後述する。
【００８４】
上層の梁補強部材３１２．３の上側フランジ３１４の上面は堰板３０２の床部３０２．３の上面と同一平面上である。これら上側フランジ３１４の上面は本質的に、梁区域３０４の最上端を区画する。
【００８５】
上層の梁補強部材３１２．３よりも上には（したがって梁区域３０４よりも上には）、床板補強部材になり、３１２．４で区別表示され、互いに平行に延びる単層の補強部材３１２がある。床板補強部材３１２．４は、堰板３０２の床部３０２．３に部分的に支持され、上層の梁補強部材３１２．３に部分的に支持され、梁補強部材３１２．３と直交して延びる。
【００８６】
床板補強部材３１２．４の層よりも上には、細長く延びる補強部材３２６の層がさらにある。しかし、補強部材３２６は前述したＩ形梁の補強部材３１２と異なり、下側で横方向に広がるフランジ３２８と中央で縦方向に広がるウェブ３３０を有する逆Ｔ形梁である。各ウェブは、キーイング開口３３２が形成されて、１列のキーイング配列を有する。床板補強部材３２６は補強部材３１２と異なりバー開口を有しない。
【００８７】
床板補強部材３２６は補強部材３１２．４の上に載せられ、これらと直交して延びる。
【００８８】
図１８に最も良く示されるように、中間層の梁補強部材３１２．２のバー開口３２２を貫通して延びる補強バー３３４が設けられる。他の実施形態において（図示せず）、同様の補強バーが補強部材３１２の３つの層のそれぞれに設けられる。
【００８９】
各床板補強部材３２６はウェブ３３０の上縁に１列に並んだ複数の半円形の切欠き３３６を有する。これらと直交して延びる補強バー３６８（１本のみ示す）がそれぞれ設けられ、補強バー３６８は切欠き３３６に収容される。
【００９０】
補強バー３６８のすぐ上にはメッシュ（図示せず）を設置することができる。
【００９１】
複数並列配置された梁および床板の組み合わせ構造３００はビルの建設に用いられる。あるいは分離された梁および床板が、例えば駐車場で用いられる。
【００９２】
梁および床板の組み合わせ構造３００の設置に先立ち適切な柱（図示せず）が建設され、次に柱に支持されるように構造３００が柱の上に設置される。
【００９３】
梁および床板の組み合わせ構造３００の設置の後、この構造にコンクリートが注ぎ込まれる。互いに並列配置された構造３００において、隣接する各対の構造３００における隣接する床部３０２．３は効果的に連続する。これにより、注ぎ込まれたコンクリートは個々の構造３００を通過して水平に流れる。
【００９４】
コンクリートが注ぎ込まれると、まず各構造３００の梁区域３０４がコンクリートで満たされ、次に床板区域３０６がコンクリートで満たされる。コンクリートは個々の補強部材３１２，３２６、バー３３４，３６８、および上述したメッシュを包み込んで流れる。またコンクリートは、キーイング開口３２０，３３２および開いているバー開口３２２または開口部分を貫通して流れる。
【００９５】
これにより、コンクリートは硬化すると補強部材と連結する。非補強コンクリート部分が適切な厚みとなるよう、コンクリートはメッシュを超えて所望の高さ位置まで注ぎ込まれる。
【００９６】
窓組立体
上記の構造を使用する窓組立体を図３０〜図３３および図４６〜図４９に示す。窓組立体４００は、窓に取り付けられる構成部４０２と、窓枠構成部４０４と、これらに重ねられる額縁構成部４０６とを備える。これらの構成部はそれぞれロール状の金属シートから作られる。上述したいずれの壁構造も、１つまたはそれ以上の窓組立体を含んでよい。
【００９７】
特定の実施形態に沿って上述した本発明は、これらの実施形態に限られるものではなく、他の形状の中でも実施可能である。
【図１】
2012528961.tif 000003
【図２】
2012528961.tif 000004
【図３】
2012528961.tif 000005
【図４】
2012528961.tif 000006
【図５】
2012528961.tif 000007
【図６】
2012528961.tif 000008
【図７】
2012528961.tif 000009
【図８】
2012528961.tif 000010
【図９】
2012528961.tif 000011
【図１０】
2012528961.tif 000012
【図１１】
2012528961.tif 000013
【図１２】
2012528961.tif 000014
【図１３】
2012528961.tif 000015
【図１４】
2012528961.tif 000016
【図１５】
2012528961.tif 000017
【図１６】
2012528961.tif 000018
【図１７】
2012528961.tif 000019
【図１８】
2012528961.tif 000020
【図１９】
2012528961.tif 000021
【図２０】
2012528961.tif 000022
【図２１】
2012528961.tif 000023
【図２２】
2012528961.tif 000024
【図２３】
2012528961.tif 000025
【図２４】
2012528961.tif 000026
【図２５】
2012528961.tif 000027
【図２６】
2012528961.tif 000028
【図２７】
2012528961.tif 000029
【図２８】
2012528961.tif 000030
【図２９】
2012528961.tif 000031
【図３０】
2012528961.tif 000032
【図３１】
2012528961.tif 000033
【図３２】
2012528961.tif 000034
【図３３】
2012528961.tif 000035
【図３４】
2012528961.tif 000036
【図３５】
2012528961.tif 000037
【図３６】
2012528961.tif 000038
【図３７】
2012528961.tif 000039
【図３８】
2012528961.tif 000040
【図３９】
2012528961.tif 000041
【図４０】
2012528961.tif 000042
【図４１】
2012528961.tif 000043
【図４２】
2012528961.tif 000044
【図４３】
2012528961.tif 000045
【図４４】
2012528961.tif 000046
【図４５】
2012528961.tif 000047
【図４６】
2012528961.tif 000048
【図４７】
2012528961.tif 000049
【図４８】
2012528961.tif 000050
【図４９】
2012528961.tif 000051
【国際調査報告】
2012528961.tif 000052
2012528961.tif 000053
2012528961.tif 000054
2012528961.tif 000055